(57)【要約】【目的】映像をディジタル圧縮された映像データとして受け取り、当該映像の圧縮の程度に応じて適切な鮮鋭度補正が行なえるディジタル放送受信装置を提供する。【構成】ＡＶデコーダ４におけるビデオデコーダは、ＭＰＥＧ２のビデオストリームに対して復号処理を行なう。ＭＰＥＧ２のビデオストリームには、映像特性を示す情報が含まれており、その一つとしてデータレートが入っている。前記ビデオデコーダは、ビデオストリームから抽出したデータレートをＣＰＵ１３に伝える。ＣＰＵ１３は前記データレートに基づいて鮮鋭度補正における強調度を変更制御する。映像処理回路５は、ＣＰＵ１３から指示された変更強調度に基づいて鮮鋭度の補正（高域補正）を行なう。【選択図】    図１
2004180043.tif 000002
【特許請求の範囲】
【請求項１】
映像の高域を強調する鮮鋭度補正を行なう手段を備えた映像処理装置において、前記映像としてディジタル圧縮された映像データを受け取り、そのデータレートに応じて鮮鋭度補正における強調度を制御するように構成されたことを特徴とする映像処理装置。
【請求項２】
請求項１に記載の映像処理装置において、データレートに応じて鮮鋭度補正における強調度の可変上限を変更することを特徴とする映像処理装置。
【請求項３】
請求項１に記載の映像処理装置において、ユーザにより設定された強調度とデータレートとに応じて鮮鋭度補正における強調度の可変範囲を変更し、ユーザにより設定された強調度を基準に前記変更された可変範囲を適用することを特徴とする映像処理装置。
【請求項４】
請求項１に記載の映像処理装置において、ユーザにより設定された強調度をデータレートに応じて変更するように構成されたことを特徴とする映像処理装置。
【請求項５】
請求項１乃至請求項４のいずれかに記載の映像処理装置において、前記映像データにおけるデータレートに加えて、画質に係わる他の情報を加味して鮮鋭度補正における強調度を制御するように構成されたことを特徴とする映像処理装置。
【請求項６】
請求項１乃至請求項５のいずれかに記載の映像処理装置において、ディジタル放送を受信復調して映像データを取得するディジタル放送受信装置として構成されたことを特徴とする映像処理装置。
【請求項７】
請求項１乃至請求項５のいずれかに記載の映像処理装置において、外部機器又は通信路から映像データを取得して再生する再生装置として構成されたことを特徴とする映像処理装置。
【発明の詳細な説明】
【０００１】
【産業上の利用分野】
この発明は、映像の高域を強調する鮮鋭度補正を行なうことができる映像処理装置に関し、例えばディジタル放送受信装置として利用される。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタルデータを取り出し、これをデコードすることによって映像・音声信号を出力する。
【０００３】
前記映像に対しては色あい補正や鮮鋭度補正などの各種補正が可能である。前記鮮鋭度補正は映像に対して高域を強調する補正である。従来のアナログ放送用のテレビジョン受像機においては、映像品質を電界強度や１フィールド期間中の水平同期信号のカウント値等に基づいて判断し、映像品質が良くない場合には、通常の状態よりも鮮鋭度を落とすようにしたものがある（特許文献１参照）。
【０００４】
【特許文献１】
特開平８−１６８０３５号公報
【０００５】
【発明が解決しようとする課題】
ディジタル放送では、画面に発生するノイズは受信状態が或る一定のレベル迄は（エラー訂正可能な範囲では）、伝送されてくる情報のとおりに映像再生が可能である。従って、ディジタル放送における画質劣化の原因は伝送途中でのノイズではなく、映像をディジタル圧縮して伝送する方式による特徴上、映像データのビットレート（データレート）が低い場合に現れる復号映像のブロック歪みが主な原因となる。このブロック歪みが発生している状況で前述した鮮鋭度補正を行なうと、ブロック歪みが強調されてしまい、見苦しい映像となる。
【０００６】
この発明は、上記の事情に鑑み、映像をディジタル圧縮された映像データとして受け取り、当該映像の圧縮の程度に応じて適切な鮮鋭度補正が行なえる映像処理装置を提供することを目的とする。
【０００７】
【課題を解決するための手段】
この発明の映像処理装置は、上記の課題を解決するために、映像の高域を強調する鮮鋭度補正を行なう手段を備えた映像処理装置において、前記映像としてディジタル圧縮された映像データを受け取り、そのデータレートに応じて鮮鋭度補正における強調度を制御するように構成されたことを特徴とする。
【０００８】
上記構成において、映像データのデータレートは復号映像のブロック歪みの発生に関係するものであるから、この映像データのデータレートに応じて鮮鋭度補正における強調度を制御することにより、ブロック歪みが発生している状況下での鮮鋭度補正における強調度は低くされ得ることになり、見苦しい映像となるのを防止し得る。
【０００９】
データレートに応じて鮮鋭度補正における強調度の可変上限を変更するようにしてもよい。また、ユーザにより設定された強調度とデータレートとに応じて鮮鋭度補正における強調度の可変範囲を変更し、ユーザにより設定された強調度を基準に前記変更された可変範囲を適用するようにしてもよい。また、ユーザにより設定された強調度をデータレートに応じて変更するように構成されていてもよい。また、前記映像データにおけるデータレートに加えて、画質に係わる他の情報を加味して鮮鋭度補正における強調度を制御するようにしてもよい。
【００１０】
また、かかる映像処理装置は、ディジタル放送を受信復調して映像データを取得するディジタル放送受信装置として構成されていてもよい。また、かかる映像処理装置は、外部機器又は通信路から映像データを取得して再生する再生装置として構成されていてもよい。
【００１１】
【発明の実施の形態】
以下、この発明の実施形態を図１に基づいて説明する。図１は地上ディジタル放送を受信するこの実施形態のディジタル放送受信装置３０を示したブロック図である。
【００１２】
図１において、地上波アンテナ１は屋外において所定の方向に向けて配置されており、地上波ディジタル放送信号を受信する。この地上波アンテナ１は受信した信号を地上波ディジタルチューナ２に与える。
【００１３】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１４】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報（番組名、番組開始時間、番組内容等）などをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１５】
ＡＶデコーダ４はビデオストリームに対してデコードを行うビデオデコーダ及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。また、ＭＰＥＧ２のビデオストリームには、シーケンスヘッダ（Ｓｅｑｕｅｎｃｅ  Ｈｅａｄｅｒ）として、映像の水平サイズ・垂直サイズ、アスペクト比、フレームレートなどの映像特性を示す情報が含まれており、その一つとしてデータレート（ビットレート：ｂｉｔ＿ｒａｔｅ）が入っている。前記ビデオデコーダは、ビデオストリームから抽出したデータレートをＣＰＵ１３に伝える。また、オーディオデコーダは、入力された符号化信号を復号して音声データを生成する。デコードにより生成された映像データは映像処理回路５に出力され、音声データは音声処理回路６に出力される。
【００１６】
映像処理回路５は、ＡＶデコーダ４から映像データを受け取ってＤ／Ａ変換を行い、例えば、コンポジット映像信号に変換する。この映像信号の生成においては、鮮鋭度（シャープネス）や色合い補正などの画像処理を実行する。前記鮮鋭度の補正（高域補正）については、その補正の程度をＣＰＵ１３からの設定指示に基づいて変更するようになっている。ＣＰＵ１３はユーザにより鮮鋭度補正がなされた場合の設定値或いはデータレートに基づいて変更した設定値を映像処理回路５に与えることになる。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１７】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１８】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や各種設定画面などの表示が行えることになる。
【００１９】
リモコン送信機１０は、各種のキーを備えて当該放送受信装置３０に各種指令を送出するものであり、操作されたキーに対応した指令を意味する信号光（リモコン信号）を発光部から送出する。リモコン受光器１１は、前記信号光を受光し、これを電気信号に変換してＣＰＵ１３に与える。
【００２０】
メモリ（例えば、ＲＡＭ、ＥＥＰＲＯＭ、フラッシュメモリ等）１４には、ＣＰＵを動作させるためのプログラムデータやＥＰＧ画面を表示するための情報の他、各種設定情報などが格納される。
【００２１】
ＣＰＵ１３は、このディジタル放送受信装置３０における全体制御を行うものであるが、特にこの発明にかかる処理として、前記データレートに基づく鮮鋭度の補正（高域補正）を映像処理回路５に対して指示する制御を行なう。以下に制御の態様を例示していく。
【００２２】
▲１▼データレートに応じて鮮鋭度補正における強調度の可変上限を変更する。例えば、データレートが最大値Ａのときに可変上限値Ｂに設定されるとすれば、現在受信している映像のデータレートがＣであるとき、例えば、Ｃ×Ｂ／Ａによって強調度の可変上限を変更する。このような変更がなされても、現時点の設定強調度が前記変更された上限値以下であれば、現時点の設定強調度は維持されることになる。その一方、現時点の設定強調度が前記変更された上限値を超えていたなら、現時点の設定強調度は変更された上限値（Ｃ×Ｂ／Ａ）となる。
【００２３】
▲２▼ユーザにより設定された強調度（ユーザの好み値）とデータレートとに応じて鮮鋭度補正における強調度の可変範囲を変更し、ユーザにより設定された強調度を基準に前記変更された可変範囲を適用する。例えば、最大可変範囲が±αであるとし、ユーザにより設定された強調度をγとする。そして、ユーザにより設定された強調度γを考慮し、この強調度γからの可変上側限度をβとする（α＞β＋γ）とする。かかる制御により、ユーザの設定（ユーザの好み）が維持される一方で、ユーザが更に強調度を上げようとしても、最大値αまでは上げることはできないことになる。
【００２４】
▲３▼ユーザにより設定された強調度をデータレートに応じて変更する。例えば、ユーザが強調度を上限付近に設定しているとし、このときの強調度をγとする。そして、データレートの最大値をＡとし、現在受信している映像のデータレートがＣであるとき、例えば、Ｃ×γ／Ａによって設定強調度を変更する。現在受信している映像のデータレートが最大値であれば、ユーザによる設定強度値は維持されるが、現在受信している映像のデータレートが低くなるに従って、設定強調度は低くなる。
【００２５】
▲４▼前記映像データにおけるデータレートに加えて、画質に係わる他の情報を加味して鮮鋭度補正における強調度を制御する。画質に係わる他の情報としては、画像やフレームレートなどがある。放送時には画像サイズやフレームレートなどのデータレート以外の情報はほぼ決まっているため、通常はデータレートだけでも十分に制御が行なえるが、画像サイズ等の他の情報も活用することで、より細かで正確な制御が可能となる。例えば、画面サイズに大きいわりにデータレートが低いときには、強調度を下げるといった制御が可能となる。
【００２６】
なお、上記の実施形態においては、ＣＰＵ１３が映像処理回路５に対して調整指令を与えることとしたが、映像処理回路５がサブＣＰＵ（図示せず）の下で制御される場合には、ＣＰＵ１３がサブＣＰＵに指令を与え、この指令を受けてサブＣＰＵが映像処理回５を制御することとしてもよい。また、映像処理装置をディジタル放送受信装置に適用した構成を例示したが、外部機器又は通信路から映像データを取得して再生する再生装置として構成することもできる。例えば、メモリカードやＤＶＤプレーヤーから供給されるＭＰＥＧデータを受け取って再生する場合においても、そのデータレートに応じて鮮鋭度補正における強調度を制御することができるものである。
【００２７】
【発明の効果】
以上説明したように、この発明によれば、映像をディジタル圧縮された映像データとして受け取り、当該映像の圧縮の程度に応じて適切な鮮鋭度補正が行なえるという効果を奏する。
【図面の簡単な説明】
【図１】この発明の実施形態のディジタル放送受信装置を示したブロック図である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004180043.tif 000003